(57)【要約】      （修正有）【課題】撮像素子保持部材の撮像素子に対する固定部の突出量を抑えると共に、撮像素子の固定強度及び撮像素子保持部材の強度を確保できる保持構成を提供する。【解決手段】撮像素子３３と、撮像素子３３に接続される基板７００と、撮像素子３３を保持する撮像素子保持部材５１０を備え、撮像素子３３は、対向する２辺に配置された取り付け部３３ａを有し、撮像素子３３を撮像素子保持部材５１０へ固定部材６００により固定する撮像素子保持構成において、取り付け部３３ａの対向する距離Ｃは、撮像素子保持部材５１０の開口部の対角長Ｄよりも短く、基板７００の外形は、取り付け部３３ａのある２辺において、取り付け面３３ａの片側の端部３３ｂから撮像素子保持部材５１０の厚みＡ以上の距離Ｂをとった範囲で撮像素子保持部材５１０の開口部寸法よりも小さく、残りの２辺のうち少なくとも１辺も撮像素子保持部材５１０よりも小さくする。【選択図】図５
2017068184.tif 000002
【特許請求の範囲】
【請求項１】
撮像素子（３３）と、撮像素子（３３）に接続される基板（７００）と、前記撮像素子（３３）を保持する長方形の開口部を有した撮像素子保持部材（５１０）を備え、
前記撮像素子（３３）は、撮像素子（３３）の対向する２辺に配置された撮像素子保持部材への取り付け部（３３ａ）を有し、前記撮像素子（３３）を撮像素子保持部材（５１０）へ固定部材（６００）により固定する撮像素子保持構成において、
前記取り付け部（３３ａ）の対向する端から端までの距離（Ｃ）は、前記撮像素子保持部材（５１０）の開口部の対角長（Ｄ）よりも短く、前記撮像素子（３３）に接続された基板（７００）の外形は、取り付け部（３３ａ）のある２辺において、取り付け面（３３ａ）の片側の端部（３３ｂ）から撮像素子保持部材（５１０）の厚み（Ａ）以上の距離（Ｂ）をとった範囲で撮像素子保持部材（５１０）の開口部寸法よりも小さく、残りの２辺のうち少なくとも１辺も撮像素子保持部材（５１０）よりも小さく構成されていることを特徴とする撮像装置の撮像素子保持構成。
【請求項２】
前記基板（７００）の投影面積が撮像素子（３３）よりも大きい事を特徴とする請求項１に記載の撮像装置の撮像素子保持構成。
【請求項３】
前記撮像素子（３３）は撮像素子保持部材（５１０）に対し、光軸方向の被写体側から固定部材（６００）により締結されることを特徴とした請求項１又は請求項２に記載の撮像装置の撮像素子保持構成。
【請求項４】
前記基板（７００）がリジット基板であることを特徴とする請求項１乃至請求項３の何れか一項に記載の撮像装置の撮像素子保持構成。
【請求項５】
前記基板（７００）がフレキシブル基板であることを特徴とする請求項１乃至請求項３の何れか一項に記載の撮像装置の撮像素子保持構成。
【請求項６】
前記基板（７００）リジットフレキシブル基板であることを特徴とする請求項１乃至請求項３の何れか一項に記載の撮像装置の撮像素子保持構成。
【請求項７】
撮像素子（３３０）と、撮像素子（３３０）に接続される基板（７０１）と、前記撮像素子（３３０）を保持する長方形の開口部を有した撮像素子保持部材（５１１）を備え、
前記撮像素子（３３０）は、撮像素子（３３０）の対向する２辺に少なくとも片側２つ、もう片側に１つの合計３つ配置された撮像素子保持部材への取り付け部（３３０ａ）、（３３０ｂ）、及び（３３０ｃ）を有し、前記撮像素子（３３０）を撮像素子保持部材（５１１）へ固定部材（６００）により固定する撮像素子保持構成において、
前記３つの取り付け部（３３０ａ）、（３３０ｂ）、及び（３３０ｃ）とそれぞれに対向する撮像素子（３３０）の端までの距離（Ｅ）は、前記撮像素子保持部材（５１１）の開口部の対角長（Ｆ）よりも短く、前記撮像素子（３３０）に接続された基板（７０１）の外形は、３つの取り付け部（３３０ａ）、（３３０ｂ）、及び（３３０ｃ）のある２辺において、取り付け面（３３０ａ）の片側の端部（３３０ｄ）もしくは取り付け面（３３０ｂ）の片側の端部（３３０ｅ）から撮像素子保持部材（５１１）の厚み（Ａ）以上の距離（Ｇ）をとった範囲で撮像素子保持部材（５１１）の開口部寸法よりも小さく、残りの２辺のうち少なくとも１辺も撮像素子保持部材（５１１）よりも小さく構成されていることを特徴とする撮像装置の撮像素子保持構成。
【請求項８】
前記基板（７０１）の投影面積が撮像素子（３３０）よりも大きいことを特徴とする請求項７に記載の撮像装置の撮像素子保持構成。
【請求項９】
前記撮像素子（３３０）は撮像素子保持部材（５１１）に対し、光軸方向の被写体側から固定部材（６００）により締結されることを特徴とした請求項７又は請求項８に記載の撮像装置の撮像素子保持構成。
【請求項１０】
前記基板（７０１）がリジット基板であることを特徴とする請求項７乃至請求項９の何れか一項に記載の撮像装置の撮像素子保持構成。
【請求項１１】
前記基板（７０１）がフレキシブル基板であることを特徴とする請求項７乃至請求項１０の何れか一項に記載の撮像装置の撮像素子保持構成。
【請求項１２】
前記基板（７０１）リジットフレキシブル基板であることを特徴とする請求項７乃至請求項１１の何れか一項に記載の撮像装置の撮像素子保持構成。
【発明の詳細な説明】
【技術分野】
【０００１】
本発明は、デジタル一眼レフカメラに関し、特に撮像素子の保持構成に関する。
【背景技術】
【０００２】
画像信号を電気信号に変換して撮像するデジタルカメラ等の撮像装置では、撮影光束をCCD（Charge Coupled Device）やCMOS（Complementary Metal Oxide Semiconductor）等の撮像素子で受光し、その撮像素子から出力される光電変換信号を画像データに変換して、メモリカード等の記録媒体に記録する。
【０００３】
このような撮像装置では、撮像素子を撮像素子保持部材へ固定し、所定の基準に対して撮像面が所定の距離を空け、かつ平行になるように調整してカメラ本体へ固定するのが一般的である。
【０００４】
また、撮像素子保持部材とカメラ本体の間には、シャッターユニットやメインベース等が配置されている。ここで撮像素子保持部材の固定面が撮像素子に対して光軸方向でカメラ本体側へ突出してしまうと、前述したように固定する際の調整量を確保する事が出来なくなってしまう。
【０００５】
その為、特許文献１には、撮像素子外周と撮像素子保持部材内周の隙間に接着材を注入し固定することで、撮像素子保持部材の固定面の、撮像素子に対する突出量を小さくする構成が提案されている。
【先行技術文献】
【特許文献】
【０００６】
【特許文献１】特開２００８−２０５７２３号公報
【発明の概要】
【発明が解決しようとする課題】
【０００７】
しかしながら、この構成は撮像素子のサイズ、重量が大きくなると落下等の衝撃に弱いという問題がある。
【０００８】
そこで、本発明の目的は、撮像素子保持部材の撮像素子に対する固定部の突出量を抑えると共に、撮像素子の固定強度及び撮像素子保持部材の強度を確保することのできる撮像素子の保持構成を提供することにある。
【課題を解決するための手段】
【０００９】
上記の目的を達成するために、本発明に係る撮像素子保持構成は、
撮像素子（３３）と、撮像素子（３３）に接続される基板（７００）と、前記撮像素子（３３）を保持する略長方形の開口部を有した撮像素子保持部材（５１０）を備え、
前記撮像素子（３３）は、撮像素子（３３）の対向する２辺に配置された撮像素子保持部材（５１０）への取り付け部（３３ａ）を有し、前記撮像素子（３３）を撮像素子保持部材（５１０）へ固定部材（６００）により固定する撮像素子保持構成において、
前記取り付け部（３３ａ）の対向する端から端までの距離（Ｃ）は、前記撮像素子保持部材（５１０）の開口部の対角長（Ｄ）よりも短く、前記撮像素子（３３）に接続された基板（７００）の外形は、取り付け部（３３ａ）のある２辺において、取り付け面（３３ａ）の片側の端部（３３ｂ）から、撮像素子保持部材（５１０）の厚み（Ａ）以上の距離（Ｂ）をとった範囲で撮像素子保持部材（５１０）の開口部寸法よりも小さく、残りの２辺のうち少なくとも１辺も撮像素子保持部材（５１０）よりも小さく構成されている事を特徴とする。
【発明の効果】
【００１０】
本発明に係る撮像素子保持構成によれば、撮像素子に接続される基板の実装面積を確保しつつ、撮像素子保持部材の開口寸法を最小に保つことで撮像素子保持部材の強度を確保したまま、撮像素子を撮像素子保持部材の本体への固定面側から固定部材により取り付けることが可能となる。これにより、撮像素子の保持部材の固定部の突出量を抑えると共に、撮像素子の固定強度及び撮像素子保持部材の強度を確保することができる。
【図面の簡単な説明】
【００１１】
【図１】本発明の実施の形態に係るデジタル一眼レフカメラの外観を示す斜視図で、カメラ前面側より見た斜視図である。
【図２】本発明の実施の形態に係るデジタル一眼レフカメラの外観を示す背面斜視図である。
【図３】本実施の形態に係るデジタル一眼レフカメラの主要な電気的構成を示すブロック図である。
【図４】撮像素子周りの保持構造を示すための、カメラ内部の概略構成を示す分解斜視図である。
【図５】（ａ）は撮像素子３３と基板７００及び撮像素子保持部材５１０が撮像素子ユニット５００となる前の状態を示す斜視図、（ｂ）は撮像素子、基板、撮像素子保持部材の寸法関係を表す背面図、（ｃ）は撮像素子、基板、撮像素子保持部材を締結させた状態を表す背面図である。
【図６】撮像素子及び基板の撮像素子保持部材への組み込み手順を表した斜視図である。
【図７】（ａ）は第２の実施形態における撮像素子３３と基板７００及び撮像素子保持部材５１０が撮像素子ユニット５００となる前の状態を示す斜視図、（ｂ）は第２の実施形態における撮像素子、基板、撮像素子保持部材の寸法関係を表す背面図、（ｃ）は第２の実施形態における撮像素子、基板、撮像素子保持部材を締結させた状態を表す背面図である。
【図８】第二の実施形態における撮像素子及び基板の撮像素子保持部材への組み込み手順を表した斜視図である。
【発明を実施するための形態】
【００１２】
以下に、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１３】
［実施の形態１］
図１及び図２は本発明の第１の実施形態に係るデジタル一眼レフカメラの外観を示す斜視図である。具体的には、図１はカメラ前面側より見た斜視図であって、撮影レンズユニットを外した状態を示し、図２はカメラ背面側より見た斜視図である。
【００１４】
図１において、１はカメラ本体であり、撮影時に使用者がカメラを安定して握り易いように前方に突出したグリップ部１ａが設けられている。２はマウント部であり、着脱可能な撮影レンズユニット（不図示）をカメラ本体１に固定させる。マウント接点２１は、カメラ本体１と撮影レンズユニットとの間で制御信号、状態信号、データ信号などをやり取りすると共に、撮影レンズユニット側に電力を供給する機能を有する。また、マウント接点２１は電気通信のみならず、光通信、音声通信等を可能な構成であってもよい。
【００１５】
４は撮影レンズユニットを取り外す際に押し込むレンズロック解除釦である。５はカメラ筐体内に配置されたミラーボックスで、撮影レンズを通過した撮影光束はここへ導かれる。ミラーボックス５の内部には、クイックリターンミラーユニット９００が配設されている。クイックリターンミラーユニット９００は、撮影光束をペンタプリズム２２（図３）の方向へ導くために撮影光軸に対して４５°の角度に保持される状態と、撮像素子３３（図３）の方向へ導くために撮影光束から退避した位置に保持される状態とを取り得る。
【００１６】
カメラ上部のグリップ側には、撮影開始の起動スイッチとしてのシャッタボタン７と、撮影時の動作モードに応じてシャッタスピードやレンズ絞り値を設定するためのメイン操作ダイヤル８と、撮影系の動作モード設定ボタン１０が配置されている。これら操作部材の操作結果の一部は、ＬＣＤ表示パネル９に表示される。
【００１７】
シャッタボタン７は、第１ストローク（半押し）でスイッチＳＷ１（後述図３の７ａ）がオンし、第２ストローク（全押し）にてスイッチＳＷ２（後述図３の７ｂ）がオンする構成となっている。
【００１８】
また、動作モード設定ボタン１０は、シャッタボタン７の１回の押込みで連写になるか１コマのみの撮影となるかの設定や、セルフ撮影モードの設定などを行うものであり、ＬＣＤ表示パネル９にその設定状況が表示されるようになっている。
【００１９】
カメラ上部中央には、カメラ本体に対してポップアップするストロボユニット１１とフラッシュ取付け用のシュー溝１２とフラッシュ接点１３が配置されており、カメラ上部の図１右寄りには撮影モード設定ダイヤル１４が配置されている。
【００２０】
グリップ側とは反対側の側面には、開閉可能な外部端子蓋１５が設けられており、この外部端子蓋１５を開けた内部には、外部インタフェースとしてビデオ信号出力用ジャック１６とＵＳＢ出力用コネクタ１７が納められている。
【００２１】
図２において、カメラ背面側には上方にファインダ接眼窓１８が設けられ、更に背面中央付近には画像表示可能なカラー液晶モニタ１９が設けられている。カラー液晶モニタ１９の横に配置されたサブ操作ダイヤル２０は、メイン操作ダイヤル８の機能の補助的役割を担っている。例えばカメラのＡＥモードでは自動露出装置により算出された適正露出値に対する露出補正量を設定するために使用される。又或は、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定するように使用される。また、このサブ操作ダイヤル２０は、カラー液晶モニタ１９に表示される撮影済み画像の表示選択にも用いられる。４３はカメラの動作を起動もしくは停止するためのメインスイッチである。４４はクリーニングモードを動作させるためのクリーニング指示部材であり、光学フィルタ上に付着した、塵埃などの異物をふるい落とす動作を指示するためのものである。
【００２２】
図３は本実施形態に係るデジタル一眼レフカメラの主要な電気的構成を示すブロック図である。なお、前述の図面と共通する部分は同じ記号で示している。
【００２３】
１００はカメラ本体に内蔵されたマイクロコンピュータからなる中央処理装置（以下、ＭＰＵという）である。ＭＰＵ１００は、カメラの動作制御を司るものであり、各要素に対して様々な処理や指示を実行する。１００ａはＭＰＵ１００に内蔵されたＥＥＰＲＯＭであり、時刻計測回路１０９の計時情報やその他の情報を記憶可能である。
【００２４】
ＭＰＵ１００には、ミラー駆動回路１０１、焦点駆動回路１０２、シャッタ駆動回路１０３、映像信号処理回路１０４、スイッチセンス回路１０５、測光回路１０６が接続されている。また、液晶表示駆動回路１０７、バッテリチェック回路１０８、時刻計測回路１０９、電源供給回路１１０、圧電素子駆動回路１１１も接続されている。これらの回路はＭＰＵ１００の制御により動作するものである。
【００２５】
また、ＭＰＵ１００は、撮影レンズユニット内に配置されたレンズ制御回路２０１と、マウント接点２１を介して通信を行う。マウント接点２１は撮影レンズユニットが接続されるとＭＰＵ１００へ信号を送信する機能も備えている。これにより、レンズ制御回路２０１は、ＭＰＵ１００との間で通信を行い、撮影レンズユニット内の撮影レンズ２００及び絞り２０４の駆動を、ＡＦ駆動回路２０２及び絞り駆動回路２０３を介して行うことが可能となる。なお、本実施形態では撮影レンズ２００は便宜上１枚のレンズで示しているが、実際は多数のレンズ群により構成されている。
【００２６】
ＡＦ駆動回路２０２は、例えばステッピングモータによって構成され、レンズ制御回路２０１の制御によって撮影レンズ２００内のフォーカスレンズ位置を変化させることにより、撮像素子３３に撮影光束の焦点を合わせるように調整する。絞り駆動回路２０３は、例えばオートアイリスなどによって構成され、レンズ制御回路２０１によって絞り２０４を変化させ、光学的な絞り値を得るように構成されている。
【００２７】
クイックリターンミラーユニット９００は、撮影レンズ２００を通過する撮影光束をペンタプリズム２２へ導くとともに、その一部を透過させるメインミラー６と、透過した撮影光束を焦点検出用センサユニット３１へ導くサブミラー３０により構成されている。
【００２８】
ミラー駆動回路１０１は、このクイックリターンミラーユニット９００を、ファインダにより被写体像を観察可能とする位置と、撮影光束から待避する位置とへ駆動するものである。又この動作と同時に、サブミラー３０を、焦点検出用センサユニット３１へ撮影光束を導く位置と、撮影光束から待避する位置とへ駆動する。具体的には、例えばＤＣモータとギヤトレインなどから構成される。
【００２９】
焦点検出用センサユニット３１は、不図示の結像面近傍に配置されたフィールドレンズ、反射ミラー、２次結像レンズ、絞り、複数のＣＣＤから成るラインセンサ等から構成されている周知の位相差方式の焦点検出センサユニットである。この焦点検出センサユニット３１から出力された信号は、焦点駆動回路１０２へ供給され、被写体像信号に換算された後ＭＰＵ１００へ送信される。ＭＰＵ１００は、この被写体像信号に基づいて、位相差検出法による焦点検出演算を行う。そして、デフォーカス量及びデフォーカス方向を求め、これに基づき、レンズ制御回路２０１及びＡＦ駆動回路２０２を介して、撮影レンズ２００内のフォーカスレンズを合焦位置まで駆動する。
【００３０】
ペンタプリズム２２は、メインミラー６によって反射された撮影光束を正立正像に変換反射する光学部材である。使用者は、ファインダ光学系を介して、ファインダ接眼窓１８から被写体像を観察することができる。またペンタプリズム２２は、撮影光束の一部を測光センサ３７０にも導く。測光回路１０６は、この測光センサ３７０の出力を得て、観察面上の各エリアの輝度信号に変換し、ＭＰＵ１００に出力する。ＭＰＵ１００は、こうして得られる輝度信号から露出値を算出する。
【００３１】
３２はシャッターユニットであり、ユーザがファインダにより被写体像を観察している時には撮影光束を遮る。また撮像時にはレリーズ信号に応じて、不図示の先羽根群と後羽根群の走行する時間差により所望の露光時間を得るように構成されている機械式のフォーカルプレーンシャッタである。シャッターユニット３２は、ＭＰＵ１００の指令を受けたシャッタ駆動回路１０３によって制御される。３３は被写体の光学像を電気信号に変換する撮像素子で、例えば撮像デバイスであるＣＭＯＳが用いられる。この撮像デバイスには、ＣＣＤ型、ＣＭＯＳ型およびＣＩＤ型など様々な形態があり、何れの形態の撮像デバイスを採用してもよい。３４はクランプ／ＣＤＳ（相関二重サンプリング）回路であり、Ａ／Ｄ変換する前の基本的なアナログ処理を行うとともに、クランプレベルの変更も可能である。３５はＡＧＣ（自動利得調整回路）であり、Ａ／Ｄ変換する前の基本的なアナログ処理を行うとともに、ＡＧＣ基本レベルの変更も可能である。３６はＡ／Ｄ変換器であり、撮像素子３３のアナログ出力信号をデジタル信号に変換する。
【００３２】
４１０は赤外線カットフィルタで、異物の付着を防止するために、表面は導電性物質で覆われている。４２０は光学ローパスフィルタで、水晶等からなる複屈折板及び位相板を複数枚貼り合わせて積層されている。光学ローパスフィルタ４２０は、撮像素子３３に入射される光束を複数に分離し、偽解像信号や偽色信号の発生を効果的に低減させる。
【００３３】
４３０は光学ローパスフィルタ４２０に振動を与える加振手段で、圧電素子を用いている。ＭＰＵ１００から指令を受けた圧電素子駆動回路１１１により加振され、赤外線カットフィルタ４１０と一体的に振動するように構成されている。４００は、赤外線カットフィルタ４１０、圧電素子４３０、撮像素子３３と後述する他の部品と共にユニット化された撮像ユニットである。
【００３４】
映像信号処理回路１０４は、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１１２を介してカラー液晶モニタ１９に表示される。また、映像信号処理回路１０４は、ＭＰＵ１００からの指示により、メモリコントローラ３８を通じて、バッファメモリ３７に画像データを保存することも可能である。更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像データを順次読み出すことも可能である。これにより映像信号処理回路１０４は、Ａ／Ｄ変換器３６から入力されてくる画像データの速度に関わらず、画像処理や圧縮処理を順次行うことが可能となる。
【００３５】
メモリコントローラ３８は、外部インタフェース４０（図１におけるビデオ信号出力用ジャック１６及びＵＳＢ出力用コネクタ１７に対応する）から入力される画像データをメモリ３９に記憶する機能を有する。また、メモリ３９に記憶されている画像データを外部インタフェース４０から出力する機能も有する。尚、メモリ３９は、カメラ本体１に対して着脱可能なフラッシュメモリなどである。
【００３６】
スイッチセンス回路１０５は、各スイッチの操作状態に応じて入力信号をＭＰＵ１００に送信する。７ａは、シャッタボタン７の第１ストローク（半押し）によりオンするスイッチＳＷ１である。７ｂは、シャッタボタン７の第２ストローク（全押し）によりオンするスイッチＳＷ２である。スイッチＳＷ２がオンされると、撮影開始がＭＰＵ１００に指示される。また、メイン操作ダイヤル８、サブ操作ダイヤル２０、撮影モード設定ダイヤル１４、メインスイッチ４３、クリーニング指示部材４４が接続されている。
【００３７】
液晶表示駆動回路１０７は、ＭＰＵ１００の指示に従って、外部ＬＣＤ表示パネル９やファインダ内液晶表示器４１を駆動する。
【００３８】
１０８はバッテリチェック回路であり、ＭＰＵ１００からの信号に従って、所定時間バッテリチェックを行い、その検出結果をＭＰＵ１００へ送る。４２は電源部であり、カメラの各要素に対して、必要な電源を供給する。
【００３９】
時刻計測回路１０９は、メインスイッチ４３がオフされて次にオンされるまでの時間や日付を計測し、ＭＰＵ１００からの指令により、その計測結果をＭＰＵ１００へ送信することができる。
【００４０】
図４は撮像ユニット４００の周辺の保持構成について説明するための、カメラ内部の概略構成を示す分解斜視図である。
【００４１】
カメラ本体の骨格となる本体シャーシ３００の被写体側には、被写体側から順に、ミラーボックス５、シャッターユニット３２が配設されており、ミラーボックス５には不図示のクイックリターンミラーユニット９００が組み込まれている。また、本体シャーシ３００の撮影者側には撮像ユニット４００が配設されている。特に撮像ユニット４００は、撮影レンズユニットが取り付けられる基準となるマウント２の取付け面に対して、撮像素子３３の撮像面が所定の距離を空けて、かつ平行になるように、部品の寸法誤差を吸収するための調整バネ６０１により調整されてミラーボックス５へ固定される。
【００４２】
撮像ユニット４００は、振動ユニット４７０と、撮像素子ユニット５００とを備えて構成されている。振動ユニット４７０は、弾性部材を挟み込んで撮像素子ユニット５００に固定されるが、詳細な構成については既知の技術により省略する。
【００４３】
撮像素子ユニット５００は、少なくとも撮像素子３３と撮像素子に電気的に接続された基板７００と撮像素子保持部材５１０により構成されている。
【００４４】
基板７００はリジット基板や、フレキシブル基板、もしくはリジットフレキシブル基板で構成されている。
【００４５】
図５（ａ）は撮像素子３３と基板７００及び撮像素子保持部材が撮像素子ユニット５００となる前の状態を示す斜視図で図５（ｂ）はそれぞれの寸法関係を表す背面図、図５（ｃ）は撮像素子３３と基板７００及び撮像素子保持部材５１０を締結した状態を表す背面図である。
【００４６】
以下、撮像素子ユニット５００の構成について詳細に説明する。
【００４７】
撮像素子３３には、撮像素子保持部材５１０への取り付け部３３ａが長手方向上下に配置されており、基板７００があらかじめ半田等により電気的に接続されている。ここで、取り付け部３３ａの対向する端から端までの距離Ｃは、撮像素子保持部材５１０の開口部の対角長Ｄよりも短く構成されている。また、基板７００の外形は取り付け部３３ａのある２辺において、取り付け面３３ａの片側の端部３３ｂから撮像素子保持部材５１０の厚みＡ以上の距離Ｂをとった範囲で撮像素子保持部材５１０の開口部寸法よりも小さく、残りの２辺のうち少なくとも１方の辺も撮像素子保持部材５１０よりも小さく構成されている。
【００４８】
次に、図６（ａ）〜（ｇ）を用いて、このように構成された撮像素子３３及び基板７００の撮像素子保持部材５１０への組み付け手順について説明する。
【００４９】
まず始めに、撮像素子保持部材５１０の開口部の対角に沿って撮像素子３３及び基板７００を挿入する（図６（ａ）〜（ｃ））。
撮像素子の取り付け部３３ａが撮像素子保持部材５１０を抜けた所で撮像素子保持部材５１０を回転させる（図６（ｃ）〜（ｄ））。
そのまま撮像素子保持部材５１０の開口部短辺部付近まで撮像素子３３及び基板７００が来るまで撮像素子保持部材５１０を移動させる（図６（ｄ）〜（ｅ））。
撮像素子の取り付け部３３ａと撮像素子保持部材５１０が接触するように、撮像素子保持部材５１０を撮像素子の取り付け部３３ａの方向に倒し（図６（ｅ）〜（ｇ））、
撮像素子保持部材５１０のミラーボックス５への固定面側から固定部材６００により固定する。
【００５０】
このような構成にする事で、撮像素子保持部材５１０の開口寸法を最小に保ち、強度を確保したまま、撮像素子３３及び基板７００を撮像素子保持部材５１０のミラーボックス５への固定面側から固定部材６００により取り付けることが可能となる。
【００５１】
これにより撮像素子保持部材５１０の固定面の突出量を抑えると共に、撮像素子３３の保持強度及び撮像素子保持部材５１０の強度を確保することができる。
【００５２】
以上、本発明の好ましい実施形態について説明したが、本発明はこれらの実施形態に限定されず、その要旨の範囲内で種々の変形及び変更が可能である。
【００５３】
［実施の形態２］
次に、本発明の第２の実施形態について説明する。第２の実施形態は、第１の実施形態の撮像素子ユニット５００の変形した構成であり、カメラの基本的な構成は上述したものと同様の為、詳細な説明を省略する。
【００５４】
図７（ａ）は撮像素子３３０と基板７０１及び撮像素子保持部材５１１が撮像素子ユニット５００となる前の状態を示す斜視図で図７（ｂ）はそれぞれの寸法関係を表す背面図、図７（ｃ）は撮像素子３３０と基板７０１及び撮像素子保持部材５１１を締結した状態を表す背面図である。
【００５５】
以下、撮像素子ユニット５００の構成について詳細に説明する。
【００５６】
撮像素子３３０には、撮像素子保持部材５１１への取り付け部３３０ａ、３３０ｂ及び３３０ｃがそれぞれ短手方向左右に配置されており、基板７０１があらかじめ半田等により電気的に接続されている。ここで、取り付け部３３０ａ、３３０ｂ、及び３３０ｃと撮像素子３３０の対向する端から端までの距離Ｅは、撮像素子保持部材５１１の開口部の対角長Ｆよりも短く構成されている。また、基板７０１の外形は取り付け部３３０ａ、３３０ｂ、及び３３０ｃのある２辺において、取り付け面３３０ａの端部３３０ｄもしくは３３０ｂの片側の端部３３０ｅから撮像素子保持部材５１１の厚みA以上の距離Ｇをとった範囲で撮像素子保持部材５１１の開口部寸法よりも小さく、残りの２辺のうち少なくとも１方の辺も撮像素子保持部材５１１よりも小さく構成されている。
【００５７】
次に、図８（ａ）〜（ｉ）を用いて、このように構成された撮像素子３３０及び基板７０１の撮像素子保持部材５１１への組み付け手順について説明する。
【００５８】
まず始めに、撮像素子保持部材５１１の開口部の対角に沿って撮像素子３３０及び基板７０１を挿入する（図８（ａ）〜（ｂ））。
撮像素子の取り付け部３３０ａが撮像素子保持部材５１１を抜けた所で撮像素子保持部材５１１を取り付け部３３０ｃの方向へ移動させる（図８（ｂ）〜（ｃ））。
次に、取り付け部３３０ｃが撮像素子保持部材５１１を抜ける所までさらに挿入する（図８（ｃ）〜（ｄ））。
撮像素子の取り付け部３３０ｃが抜けた所で撮像素子保持部材５１１を取り付け部３３０ｂの方向へ移動させる（図８（ｄ）〜（ｅ））。
次に取り付け部３３０ｂが撮像素子保持部材５１１を抜ける所までさらに挿入する（図８（ｅ）〜（ｆ））。
撮像素子の取り付け部３３０ｂが撮像素子保持部材５１１を抜けた所で撮像素子保持部材５１１を回転させ、そのまま撮像素子保持部材５１１の開口部長辺部付近まで撮像素子３３０及び基板７０１が来るまで撮像素子保持部材５１１を移動させる（図８（ｆ）〜（ｇ））。
撮像素子の取り付け部３３０ａ、３３０ｂ、３３０ｃと撮像素子保持部材５１１が接触するように、撮像素子保持部材５１１を撮像素子の取り付け部３３０ａ、３３０ｂ、３３０ｃの方向に倒し（図８（ｇ）〜（ｉ））、
撮像素子保持部材５１１のミラーボックス５への固定面側から固定部材６００により固定する。
【００５９】
このような構成にする事で、撮像素子保持部材５１１の開口寸法を最小に保ち、強度を確保したまま、撮像素子３３０及び基板７０１を撮像素子保持部材５１１のミラーボックス５への固定面側から固定部材６００により取り付けることが可能となる。
【００６０】
これにより撮像素子保持部材５１１の固定面の突出量を抑えると共に、撮像素子３３０の保持強度及び撮像素子保持部材５１１の強度を確保することができる。
【００６１】
以上、本発明の好ましい実施形態について説明したが、本発明はこれらの実施形態に限定されず、その要旨の範囲内で種々の変形及び変更が可能である。
【符号の説明】
【００６２】
１  カメラ本体、２  マウント、５  ミラーボックス、１９  カラー液晶モニタ、
３２  シャッターユニット、３３，３３０  撮像素子、
３３ａ，３３０ａ，３３０ｂ，３３０ｃ  撮像素子固定部、
３３ｂ，３３０ｄ，３３０ｅ  撮像素子固定部の端部、３００  本体シャーシ、
４００  撮像ユニット、４１０  赤外線カットフィルタ、４３０  圧電素子、
４５０  弾性部材、４６０  付勢部材、４７０  振動ユニット、
５００  撮像素子ユニット、５１０，５１１  撮像素子保持部材、６００  固定部材、
７００，７０１  基板
【図１】
2017068184.tif 000003
【図２】
2017068184.tif 000004
【図３】
2017068184.tif 000005
【図４】
2017068184.tif 000006
【図５】
2017068184.tif 000007
【図６】
2017068184.tif 000008
【図７】
2017068184.tif 000009
【図８】
2017068184.tif 000010